(57)【要約】【課題】高速で回転駆動されたときにも、光ディスクの粉砕を抑える。【解決手段】ディスク状記録媒体２が収納される収納凹部２１を有し、搬送機構１５に支持されることにより装置本体３の前面に設けられた開口部９から該装置本体３の内外に亘って搬送されるディスクトレイ４において、ディスク状記録媒体２を収納する収納凹部２１の周面には緩衝材２５が設けられている。【選択図】図４
2006085778.tif 000002
【特許請求の範囲】
【請求項１】
ディスク状記録媒体が収納される収納凹部を有し、搬送機構に支持されることにより装置本体の前面に設けられた開口部から該装置本体の内外に亘って搬送されるディスクトレイにおいて、
上記ディスク状記録媒体を収納する収納凹部の周面には緩衝材が設けられているディスクトレイ。
【請求項２】
上記緩衝材は、上記収納凹部に収納されたディスク状記録媒体の外周面と対向する面に設けられていることを特徴とする請求項１記載のディスクトレイ。
【請求項３】
上記緩衝材は、少なくとも上記装置本体内に搬送されたディスクトレイの上記開口部側に形成されていることを特徴とする請求項２記載のディスクトレイ。
【請求項４】
装置本体と、
上記装置本体内に設けられ、ディスク状記録媒体を収納する収納凹部が設けられたディスクトレイと、
上記ディスクトレイを上記装置本体の前面に設けられた開口部より該装置本体の内外に亘って搬送する搬送機構と、
上記装置本体内に搬送されたディスク状記録媒体を保持すると共に回転駆動するディスク回転駆動機構と、
上記回転駆動されたディスク状記録媒体に対して情報信号の記録及び／又は再生を行う記録再生機構とを備え、
上記ディスクトレイは、収納凹部の周面に緩衝材が設けられているディスクドライブ装置。
【請求項５】
上記緩衝材は、上記ディスクトレイの収納凹部に収納されたディスク状記録媒体の外周面と対向する面に設けられていることを特徴とする請求項４記載のディスクドライブ装置。
【請求項６】
上記緩衝材は、少なくとも上記装置本体内に搬送されたディスクトレイの上記開口部側に形成されていることを特徴とする請求項５記載のディスクドライブ装置。
【発明の詳細な説明】
【技術分野】
【０００１】
本発明は、ディスク状記録媒体に対して情報信号の記録及び／又は再生を行うディスクドライブ装置に関し、特に装置本体の内外に亘って水平方向に搬送されるディスクトレイにディスク状記録媒体を載置し、このディスクトレイが装置本体内に引き込まれるとディスク状記録媒体が内部のターンテーブルに回転自在に装着されるディスクドライブ装置及びディスクトレイに関する。
【背景技術】
【０００２】
光ディスクとしては、従来よりＣＤ(Compact Disk)やＤＶＤ(Digital Versatile Disk)といった光ディスクが広く知られており、これら光ディスクに対して情報信号の記録及び／又は再生を行うディスクドライブ装置が提供されている。
【０００３】
またディスクドライブ装置には、装置本体から水平方向に出し入れされるディスクトレイに光ディスクを載置することで、ディスクトレイが引き込まれた際にディスクが内部のターンテーブルに自動的に装着されるタイプがある。この種のディスクドライブ装置は、一般に、光ディスクが収納される収納凹部が形成されたディスクトレイと、略矩形箱状に形成され前面にディスクトレイが排出される矩形開口部が形成された装置本体と、ディスクトレイを装置本体の内外に亘って搬送する搬送機構と、ディスクトレイの収納凹部に収納された光ディスクを回転駆動するディスク回転駆動機構と、光ディスクに対して情報信号の記録及び／又は再生を行う光ピックアップ機構とを備える。
【０００４】
そして、ディスクドライブ装置は、矩形開口部より装置本体外へ排出されたディスクトレイの収納凹部に光ディスクが収納されると、搬送機構によってディスクトレイが装置本体内へ搬送される。装置本体内に搬送された光ディスクは、ディスク回転駆動機構のターンテーブルに回転自在に保持されるとともにスピンドルモータによってＣＬＶ（Constant Linear Velocity）、ＣＡＶ（Constant Angular Velocity）又はこれらの組み合わせで回転駆動される。また光ピックアップ機構は、回転駆動されている光ディスクに対して情報信号の記録及び／又は再生を行う。
【０００５】
ところで、記録可能な光ディスクに対応したディスクドライブ装置においては、書き込み速度の高速化の要求に伴い、ディスク回転駆動機構による光ディスクの回転速度も増加する傾向にある。たとえば、追記録型のＤＶＤに対して高倍速記録を行うディスクドライブ装置では、従来の４倍速記録から８倍速記録に移行すると、スピンドルモータによるＤＶＤの回転速度は９０００ｒｐｍ以上にもなる。
【０００６】
このとき、光ディスクに亀裂やキズ等があると、回転駆動中に光ディスクが粉砕し、その破片が装置本体の矩形開口部より外部へ飛散するおそれがある。すなわち、ユーザが光ディスクを長く使用していくうちに、たとえば誤って光ディスクを落下させてしまったり、ディスクケースから光ディスクを取り出す際などに光ディスクに無理な力が加わり、ディスクの中心孔周辺等に亀裂やキズが発生することがある。また、市販されている光ディスクの中には高速回転駆動に対する耐久性を持たない粗悪品が出回ることもある。
【０００７】
このような亀裂が生じた光ディスクや耐久性を欠く粗悪品等の欠陥ディスクが高速で回転駆動されると、光ディスクが割れてディスクトレイの収納凹部に設けられた周壁に接触するなどし、粉砕されることがある。そして、光ディスクが粉砕されることによって生じた破片は、光ディスクの高速回転に伴うエネルギーを受けてディスクドライブ装置内に飛散し装置本体内に設けられた各種構成部品を破損するほか、その一部は装置本体の前面に設けられた矩形開口部より飛び出し、ユーザ等に危害を加えるおそれもある。また、ディスクドライブ装置の製造過程や、点検、修理等においては、装置本体のトップカバーやフロントパネルが装着されておらずディスクトレイがむき出しのまま光ディスクが回転駆動されることがあるが、この場合に光ディスクが粉砕すると、装置本体の周囲に対して危害を加えるおそれが生じる。
【０００８】
かかる光ディスクの破片の飛散を防止するために、ディスクトレイの収納凹部に設けられた周壁を高く形成したり矩形開口部を覆う回動カバー等を更に設けたディスクドライブ装置や、収納凹部の周壁に加えて、別途光ディスクの近傍に側壁を設けたディスクドライブ装置が提案されている（例えば特許文献１参照）。
【０００９】
しかし、これら収納凹部の周壁を高く形成したり矩形開口部を覆う回動カバー等を更に設けたディスクドライブ装置やディスクトレイに別途側壁を設けたディスクドライブ装置においては、ディスクトレイの大型化を招き、装置本体のデザイン上又は設計上の制約となる。また、回動カバーを設けず、周壁を高く形成したり、ディスクトレイに側壁を形成したのみでは欠陥ディスクが高速で回転駆動されると周壁や側壁と接触して粉砕されるため、その細かな破片は装置本体の矩形開口部より飛散してしまう。
【００１０】
【特許文献１】特開２００４−１３３９６４号公報
【発明の開示】
【発明が解決しようとする課題】
【００１１】
そこで、本発明は、亀裂が生じた光ディスクや耐久性を欠く粗悪品の光ディスク等の欠陥ディスクが用いられ、高速で回転駆動されたときにも、光ディスクの粉砕を抑え、その破片による被害を最小に抑えることができるディスクドライブ装置及びディスクドライブ装置用のディスクトレイを提供することを目的とする。
【課題を解決するための手段】
【００１２】
上述した課題を解決するために、本発明にかかるディスクトレイは、ディスク状記録媒体が収納される収納凹部を有し、搬送機構に支持されることにより装置本体の前面に設けられた開口部から該装置本体の内外に亘って搬送されるディスクトレイにおいて、上記ディスク状記録媒体を収納する収納凹部の周面には緩衝材が設けられているものである。
【００１３】
また、本発明にかかるディスクドライブ装置は、装置本体と、上記装置本体内に設けられ、ディスク状記録媒体を収納する収納凹部が設けられたディスクトレイと、上記ディスクトレイを上記装置本体の前面に設けられた開口部より該装置本体の内外に亘って搬送する搬送機構と、上記装置本体内に搬送されたディスク状記録媒体を保持すると共に回転駆動するディスク回転駆動機構と、上記回転駆動されたディスク状記録媒体に対して情報信号の記録及び／又は再生を行う記録再生機構とを備え、上記ディスクトレイは、収納凹部の周面に緩衝材が設けられているものである。
【発明の効果】
【００１４】
このようなディスクトレイ及びディスクドライブ装置によれば、光ディスクに対して高速記録を行う際に光ディスクが高速回転された場合において、光ディスクに亀裂やキズ等があることにより、高速回転に伴う負荷により光ディスクが割れた場合にも、ディスクトレイに形成された収納凹部の周面に緩衝材が設けられているため、この緩衝材により周面への衝突による衝撃が弱められる。したがって、光ディスクの破片は大きなものとなり、粉砕されることによる細かな破片が発生せず、光ディスクの細かな破片が飛散することを防止することができる。
【発明を実施するための最良の形態】
【００１５】
以下、本発明が適用されたディスクトレイ及びディスクドライブ装置について、図面を参照しながら詳細に説明する。このディスクドライブ装置１は、ＣＤ、ＤＶＤといった光ディスクに記録された情報の再生を行い、またＣＤ−ＲやＤＶＤ−Ｒ、ＤＶＤ−ＲＷといった信号記録可能な光ディスクに対して情報の書き込みを行うことができるディスクドライブ装置であり、直径が１２ｃｍの標準ディスクの他、直径が８ｃｍの小径ディスクにも対応可能とされている。
【００１６】
また、ディスクドライブ装置１は、図１及び図２に示すように、装置本体３の内外に亘って水平方向に移動操作されるディスクトレイ４を備え、装置本体３の前面側に引き出されたディスクトレイ４に光ディスク２を載置した後、このディスクトレイ４を装置本体３内に引き込むことにより光ディスク２のローディングを行う。次いで、装置本体が組み込まれたホスト機器のホストコンピュータから記録又は再生指令信号が入力されると、スピンドルモータが駆動され、ディスクテーブル上に載置された光ディスク２が、一定線速度（ＣＬＶ）又は一定角速度（ＣＡＶ）によって回転駆動される。また、この光ディスク２の回転の開始とともに、光ピックアップ装置が駆動され、光ディスク２に対して記録データの読み出しや書き込みを行うものである。
【００１７】
このディスクドライブ装置１の外筐となる装置本体３は、図１乃至図３に示すように、下部筐体である略扁平箱状のボトムケース６と、このボトムケース６を上方から覆うトップカバー７と、後述するディスクトレイ４が引き出される開口部９が形成されたフロントパネル８とから構成されている。ボトムケース６及びトップカバー７は共に薄い板金からなり、ボトムケース６に断面略コ字状のトップカバー７が係合されるとともに、長手方向の前面側にフロントパネル８が取り付けられている。フロントパネル８には、ディスクトレイ４が装置本体３の内外に亘って搬送される際のトレイ出入り口となる開口部９と、ディスクドライブ装置１の操作状況を光の点灯等により示す表示部１０と、ディスクトレイ４の開閉操作を行う操作釦１１等が形成されている。
【００１８】
かかる装置本体２の内部には、図３に示すように、薄い金属板を打ち抜いて折曲形成されたシャーシ１４が配設されている。このシャーシ１４には、光ディスク２を装置本体３外のディスク着脱位置と装置本体３内のディスクローディング位置とに亘って搬送するディスクトレイ４と、ディスクトレイ４を搬送するトレイ搬送機構１５と、ローディング位置に搬送された光ディスク２を回転駆動するディスク回転駆動機構１６と、回転駆動されている光ディスク２に対して情報信号の書き込み又は読み出しを行う光ピックアップ機構１７とが設けられている。
【００１９】
フロントパネル８の開口部９より装置本体３の内外に亘って搬送操作されるディスクトレイ４は、ＡＢＳ樹脂等の合成樹脂材料を矩形板状に成形して形成されてなるもので、図２に示すように、長手方向の先端４ａ側に光ディスク２を収納保持するディスク保持部２１と、ディスク保持部２１の中央部から装置本体３の内方側に位置する後端側に亘って後述するディスク回転駆動機構１６及び光ピックアップ機構１７を光ディスク２の信号記録面側に臨ませる開口部２２が形成されている。
【００２０】
そして、ディスクトレイ４は、後述するトレイ搬送機構１５によってフロントパネル８の開口部９より装置本体３の内外に亘って、図２中矢印Ａ１方向又はＡ２方向に搬送される。また、ディスクトレイ４は、トレイの先端部４ａがフロントパネル８の開口部９と略同一の大きさに形成され、図１に示すように、装置本体３内に搬送されたときに、トレイの先端部４ａが開口部９を閉塞する。
【００２１】
ディスク保持部２１は、直径が１２ｃｍの標準の光ディスク２を収納保持する略円形の凹部が形成されている。ディスク保持部２１は、光ディスク１２の外径よりもやや大きく形成され、周囲に円弧状に立ち上がり形成された周壁２４が形成されている。周壁２４は、ディスク保持部２１に収納された光ディスク２の厚さと同一かやや高い高さを有し、ディスク回転駆動機構１６に回転駆動されている光ディスク２の外周面２ａと対向される。この周壁２４は、光ディスク２の挿脱を容易にさせるための切欠き部２３が形成されている。
【００２２】
また、図４に示すように、周壁２４は、光ディスク２をディスク保持部２１の中心にガイドする傾斜が設けられると共に、亀裂が生じた光ディスク２や耐久性を欠く粗悪品の光ディスク２が高速回転されることにより割れたときに光ディスク２の粉砕を防止又は低減させる弾性カバー２５が貼着されている。
【００２３】
弾性カバー２５は、衝撃吸収機能に優れるポロン等の弾性部材を長尺状に加工したものが用いられ、周壁２４の一部又は切欠き部２３を除く全周にかけて接着剤等を用いて貼着されている。この弾性カバー２５は、光ディスク２が割れて周壁２４と衝突した際の衝撃を吸収する緩衝材となるものであり、周壁２４に光ディスク２が衝突しても粉砕してしまうことを防止することができる。また、弾性カバー２５は、周壁２４がディスク回転駆動機構１６に回転駆動されている光ディスク２の外周面２ａと対向されることから、同様に、図５及び図６に示すように、回転駆動中の光ディスク２の外周面２ａと対向した位置に設けられる。したがって、高速回転に伴う負荷により光ディスク２が割れたときにも、弾性カバー２５によって衝撃が吸収されて光ディスク２の破片は大きなものとなり、粉砕されることによる細かな破片が発生しない。従って、ディスクドライブ装置１は、光ディスク２の破片がフロントパネル８の開口部９より飛散することがなく、被害を最小に抑えることができる。
【００２４】
また、弾性カバー２５は、周壁２４の一部、たとえばディスクトレイ４の先端４ａ側にのみ貼着してもよい。この場合にも、弾性カバー２５は、光ディスク２が周壁２４に衝突する際の衝撃を吸収し、光ディスク２が細かく粉砕することを防止できるとともに、ディスクトレイ４が装置本体３内に搬送されることによりフロントパネル８の開口部９側に位置する先端４ａ側に設けられているため、開口部９近傍において光ディスク２が細かく粉砕されことを防止でき、開口部９近傍で光ディスク２の細かな破片が発生しないため開口部９から光ディスク２の破片が飛散することを防止することができる。
【００２５】
なお、本発明が適用されたディスクドライブ装置１は、弾性カバー２５に換えて、ディスク保持部２１の周壁２４に、衝撃吸収機能を有するゴム塗装を施してもよい。
【００２６】
上述したように、このディスクトレイ４のディスク保持部２１は、直径を１２ｃｍとする光ディスク２を保持できる大きさに形成されているが、その内側には、ディスク保持部２１と中心を一致させて小径の、例えば直径を８ｃｍとする光ディスク２を保持するための補助ディスク保持部２１ａが設けられている。この補助ディスク保持部２１ａは、ディスク保持部２１の底面部に直径８ｃｍの光ディスク２と略同一の大きさからなる凹部を設けることによって形成されている。
【００２７】
また、ディスクトレイ４は搬送方向と平行な相対向する両側部に、左右一対のガイドレール２８，２８が一体に形成されている。更に、このディスクトレイ４は、底面側の一側部に、トレイ搬送機構１５の送りギア２９と噛合するラックギア３０が設けられている。また、ディスクトレイ４は、図３に示すように、シャーシ１４の相対向する左右の側板１４ａ，１４ｂの内側に取り付けられた合成樹脂からなる複数のトレイガイド部３２によって左右一対のガイドレール２８，２８が支持され、これらトレイガイド部３２に案内されて装置本体３の内外に亘る方向に移動するようになっている。
【００２８】
ディスクトレイ４を装置本体３の内外に亘って移動操作させるトレイ搬送機構１５は、図３に示すように、装置本体３内に配設されたシャーシ１４の前面側に配設されている。このトレイ搬送機構１５は、図３に示すように、シャーシ１４の前面側の底面に取り付けられた図示しないローディングモータと、このローディングモータの回転軸に取り付けられた駆動ギアに噛合し且つ当該ローディングモータによって回転操作されるトレイ送りギア２９を備えている。
【００２９】
トレイ送りギア２９は、ラックギア３０と噛合されることによりディスクトレイ４に連結されている。従って、ディスクトレイ４は、ローディングモータが駆動することにより、トレイ送りギア２９を介して装置本体３の内外に亘って送り操作される。
【００３０】
また、トレイ搬送機構１５には、後述するように、シャーシ１４に取り付けられるディスク回転駆動機構１６を構成するスピンドルモータを昇降操作する昇降操作板３３を移動操作するギア部材が設けられている。このギア部材は、トレイ送りギア２９と噛合され、ローディングモータが回転駆動されることにより、昇降操作板３３を移動操作するものである。
【００３１】
この昇降操作板３３の、シャーシ１４の底面に垂直に立上げて形成された立上げ片３３ａには、図３に示すように、傾斜カム溝３４が設けられている。この傾斜カム溝３４は、図３において右上がりに形成されていて、ディスク回転駆動機構１６の昇降操作ピン３６が摺動可能に係合されている。これにより、昇降操作板３３が同図中ディスクトレイ４の搬送方向と直交する方向に移動操作されることにより、昇降操作ピン３６が傾斜カム溝３４に沿って移動し、ディスク回転駆動機構１６側のスピンドルモータ４３が、シャーシ１４上を移動するディスクトレイ４に対して接近又は離間するよう上下方向に移動される。
【００３２】
このスピンドルモータ４３の昇降動作は、ディスクトレイ４が装置本体３内に収納された状態で行われる。これは、ディスクトレイ４がスピンドルモータ４３側に移動することにより、その移動途中でディスクトレイ４がスピンドルモータ４３に衝突することを回避するためである。そのため、昇降操作板３３を移動操作するギア部材は、ディスクトレイ４の移動位置に応じて操作が規制されるようになっている。そして、この昇降操作板３３が移動操作されると、昇降操作ピン３６が傾斜カム溝３４に沿って、下部位置と上部位置との間に亘って移動する。
【００３３】
次に、上述したようなディスクトレイ４に保持されて装置本体３内に搬送された光ディスク２が装着され、この光ディスク２を回転自在に支持するディスク回転駆動機構１６について説明する。ディスク回転駆動機構１６は、光ディスク２を回転自在に支持するディスクテーブル４２と、ディスクテーブル４２を回転駆動するスピンドルモータ４３と、ディスクテーブル４２上に載置された光ディスク２をディスクテーブル４２と協働してクランプするディスククランパー４４とを有する。
【００３４】
ディスク回転駆動機構１６のディスクテーブル４２及びスピンドルモータ４３は、シャーシ１４に上下方向へ傾動可能に支持される第１の支持フレーム４１に取り付けられ、そして、ディスククランパー４４は、図３に示すように、シャーシ１４の上部に橋を掛けるように取り付けられている。ディスクテーブル４２及びスピンドルモータ４３が取り付けられる第１の支持フレーム４１は、薄い金属板を打ち抜き、周縁部を下方へ折り曲げるようにして、矩形状に形成されている。この第１の支持フレーム４１は、中央部に第２の支持フレーム４５に取り付けられた光ピックアップ装置５０を臨ませる略矩形状をなす開口部が切欠き形成されている。
【００３５】
また、第１の支持フレーム４１は前端側に上述した昇降操作板３３の傾斜カム溝３４に係合される昇降操作ピン３６が形成された立壁が設けられ、この昇降操作ピン３６が傾斜カム溝３４を移動するに伴い、昇降操作される。そして、ディスクテーブル４２及びスピンドルモータ４３は、第１の支持フレーム４１の前端側、即ち、第１の支持フレーム４１がシャーシ１４に支持されて装置本体３内に配置されたとき、開口部９側に位置する側に取り付けられ、第１の支持フレーム４１とともに昇降操作される。
【００３６】
また、このディスクテーブル４２の上面中央部には、これに載置される光ディスク２の中心穴２ｂが係合されるセンタリング部材４６が、スピンドル軸４７の軸方向に進退可能なように取り付けられている。そしてスピンドルモータ４３が上昇操作されると、光ディスク２の中心孔２ｂにセンタリング部材が挿入するとともに、ディスククランパー４４とディスクテーブル４２とで光ディスク２を挟持することにより、光ディスク２をディスクテーブル４２に回転可能に保持する。
【００３７】
このディスクテーブル４２上に載置された光ディスク２をディスクテーブル４２と協働してクランプするディスククランパー４４は、図３に示すように、クランパー支持板４８の中央部に上下方向及び直径方向に所定の隙間をあけて回転自在に保持されている。そして、クランパー支持板４８は、シャーシ１４の左右両側壁１４ａ，１４ｂの上端部間に掛け渡すようにして取り付けられ、その取付状態においてディスククランパー４４は、ディスクテーブル４２の上方に位置するように構成されている。
【００３８】
次いで、ディスク回転駆動機構１６のディスクテーブル４２に支持された光ディスク２に対して情報信号の記録及び／又は再生を行う光ピックアップ機構１７について説明する。光ピックアップ機構１７は、対物レンズを備え所定の波長のレーザ光を光ディスク２の信号記録面に対して照射する光ピックアップ装置５０と、この光ピックアップ装置５０を光ディスク２の径方向に移動させるピックアップ移動機構５１とを有する。
【００３９】
この光ピックアップ機構１７は、第１の支持フレーム４１に上下方向へ傾動可能に支持される第２の支持フレーム４５に独立して取り付けられ、第１の支持フレーム４１に設けられた開口部よりディスク回転駆動機構１６に回転自在に保持された光ディスク２の信号記録面と対物レンズとが対峙される。
【００４０】
このディスクドライブ装置１は、ＣＤ等のような記録密度が標準である標準密度ディスクと、ＤＶＤ等のような高記録密度化が図られた高密度ディスクとを選択的に記録及び／又は再生可能とするために、この装置に用いられる光ピックアップ装置５０には、複数の光ディスク２のディスクフォーマットに応じた受発光素子及び光学系が形成され、各光ディスク２に対応した波長のレーザ光の受発光を行うピックアップ部５２が備えられている。
【００４１】
光ピックアップ装置５０を光ディスク２の径方向に移動させるピックアップ移動機構５1は、光ピックアップ装置５０の装置本体に挿通することにより移動をガイドするガイド軸５５と、送りモータ５６と、送りモータ５６の駆動力を光ピックアップ装置５０に伝達するギア機構５７とを有する。
【００４２】
ガイド軸５５は第２の支持フレーム４５に立設された支持片によって光ディスク２の半径方向と平行に支持されている。このガイド軸５５には、光ピックアップ装置５０の装置本体に設けられた挿通孔に挿通され、これにより光ピックアップ装置５０はガイド軸５５にガイドされて光ディスク２の半径方向に移動可能とされている。
【００４３】
送りモータ５６は、ギア機構５７を介して光ピックアップ装置５０と連結され、送りモータ５６が駆動されると、ギア機構を介して光ピックアップ装置５０が駆動力を受けて搬送される。
【００４４】
なお、第１の支持フレーム４１の前端側の端面の略中央部には、上述したように、シャーシ１４上に配設された昇降操作板３３の傾斜カム溝３４に係合される昇降操作ピン３６が突設されている。そして、第１の支持フレーム４１の後端側の両側には、インシュレータ取付部５８，５９が設けられており、これらインシュレータ取付部５８，５９には、ゴム等の弾性部材からなるインシュレータ６０，６１が取り付けられている。これらインシュレータ６０，６１をシャーシ１４に立設された支持軸に支持させることにより、第１の支持フレーム４１がシャーシ１４上に弾性的に支持されている。
【００４５】
このように、第１の支持フレーム４１は、後端側の両側が弾性変位可能な一対のインシュレータ６０，６１を介してシャーシ１４上に支持され、前端側の昇降操作ピン３６が昇降操作板３３の傾斜カム溝３４に係合支持されている。そして、昇降操作板３３が図３においてディスクトレイ４の搬送方向と直交する方向に移動操作され、昇降操作ピン３６が傾斜カム溝３４に沿って上下方向に移動されることにより、一対のインシュレータ６０，６１を支点として第１の支持フレーム４１が上下方向へ回動操作される。その結果、第１の支持フレーム４１の前端側に取り付けられたディスク回転駆動機構１６が、ディスクトレイ４に対して昇降動作されることになる。
【００４６】
上述したような構成を有するディスクドライブ装置１によって、光ディスク２に対して情報信号の記録及び／又は再生する動作を説明する。ここで、光ディスク２としては、直径を１２ｃｍとするＣＤやＣＤ−ＲＯＭ、ＤＶＤやＤＶＤ−Ｒ等が用いられる。
【００４７】
まず、このディスクドライブ装置１に電源を投入し、ディスクトレイ４を装置本体３の前方に引き出す。そして、フロントパネル８の開口部９から前方に引き出されたディスクトレイ４のディスク保持部２１に光ディスク２を載置し、その後、ディスクトレイ４を押し込み又操作釦１１を操作する等して、ディスクトレイ４を装置本体３内に移動させるローディング操作を行う。
【００４８】
このとき、ディスクトレイ４が装置本体３の内方に移動されると、詳細を省略するローディング検出スイッチによってローディング位置に移動されたことが検出され、ローディングモータが一旦停止される。そして、このローディングモータが逆方向に回転駆動される。この際、ローディングモータが逆転駆動されると、昇降操作板３３が移動し、ディスク回転駆動機構１６の第１の支持フレーム４１に設けた昇降操作ピン３６が、傾斜カム溝３４の下部位置から上部位置に移動される。
【００４９】
これにより、第１の支持フレーム４１がディスクトレイ４側に向かって上昇する。そして、ディスクテーブル４２がディスクトレイ４の底面開口２２内に入り込み、ディスクトレイ４に保持された光ディスク２がディスクテーブル４２上に載置される。これと略同時に、ディスククランパー４４がディスクテーブル４２側に圧着され、光ディスク２をクランプしてディスクテーブル４２と一体に回転可能な状態となる。
【００５０】
このとき、光ディスク２をディスクテーブル４２にクランプさせる位置まで第１の支持フレーム４１が移動すると、ローディングモータが停止されてローディングの完了が検出される。ローディングの完了が検出されると、ディスク回転駆動機構１６のスピンドルモータ４３が駆動を開始する。
【００５１】
そして、光ディスク２から情報信号を読み出して再生する前に、記録又は再生の対象となる光ディスク２がＣＤ等の標準密度ディスクであるかＤＶＤ等の高密度ディスクであるかを判定する。そして、再生の対象となる光ディスク２の種類に応じて、光ピックアップ機構１７のピックアップ部５２の光学系を選択して、情報信号の記録又は再生を実行する。
【００５２】
このとき、ＤＶＤ−ＲＷ等の高速記録を行う際には例えば８倍速記録おいて、光ディスク２の回転速度は９０００ｒｐｍ以上となる。ここで、光ディスク２に亀裂やキズ等があることにより、高速回転に伴う負荷により光ディスク２が割れた場合にも、ディスクトレイ４に形成されたディスク保持部２１の周壁２４に弾性カバー２５が設けられているため、この弾性カバー２５により周壁２４への衝突による衝撃が弱められる。したがって、光ディスク２の破片は大きなものとなり、粉砕されることによる細かな破片が発生せず、光ディスク２の破片がフロントパネル８の開口部９より飛散することを防止することができる。
【００５３】
次に、利用者がデータ再生を終了するための操作を行うと、スピンドルモータ４３の回転動作を停止すると共に、光ピックアップ機構１７の再生動作を終了する。また、光ディスク２がディスクテーブル４２から脱離されてディスクトレイ４上に載置される。そして、ディスクトレイ４が引き出され、ディスク保持部２１が装置本体３の前方に露出されることにより、イジェクト動作が終了して、光ディスク２を取り出すことができる状態となる。
【図面の簡単な説明】
【００５４】
【図１】本発明が適用されたディスクドライブ装置を示す斜視図である。
【図２】ディスクトレイが排出されたディスクドライブ装置を示す斜視図である。
【図３】ディスクドライブ装置の内部を示す斜視図である。
【図４】ディスクトレイの周壁に設けられた弾性カバーを示す斜視図である。
【図５】光ディスクを回転可能に保持したディスクドライブ装置を示す断面図である。
【図６】光ディスクが収納されたディスクトレイを示す斜視図である。
【符号の説明】
【００５５】
１  ディスクトレイ、２  光ディスク、３  装置本体、４  ディスクトレイ、８  フロントパネル、９  開口部、１４  シャーシ、１５  トレイ搬送機構、１６  ディスク回転駆動機構、１７  光ピックアップ機構、２１  ディスク保持部、２２  開口部、２３  切欠き部、２４  周壁、２５  弾性カバー
【図１】
2006085778.tif 000003
【図２】
2006085778.tif 000004
【図３】
2006085778.tif 000005
【図４】
2006085778.tif 000006
【図５】
2006085778.tif 000007
【図６】
2006085778.tif 000008